(57)【要約】　　　（修正有）【課題】椅子のシート回転防止の制動装置の提供。【解決手段】椅子の気圧シリンダ１２のピストンロッド１２０上端とシート底部の固定座１６の間に係止作用を具えた制動装置２０が設けられ、該制動装置が内管、外管に制動板が嵌合されて形成され、内管外縁に多角形外縁を具えた係止部と円形凹環部が形成され、並びに外管に凸耳でハンドルが枢接されてＵ形リングで内縁に多角形の係止フレームを具えた制動板が駆動され、該制動板が内管の係止部或いは凹環部に嵌合されることにより、使用者がシートの回転使用と不回転使用を選択できる。【選択図】　　　　図２
0003097055.tif 000002
【実用新案登録請求の範囲】
【請求項１】
複数のローラを具えた足フレームの中心に直立する気圧シリンダのピストンロッドでシートを支持し、シートに別に支持棒で背もたれが固定され、気圧シリンダの上端のシートの底部に操作レバーが設けられて気圧シリンダバルブを制御してシート高度を調整するのに供される、椅子のシート回転防止の制動装置において、
該気圧シリンダのピストンロッドの上端に制動装置が設けられてシートを回転可能とするか回転不能とするかを選択でき、該制動装置が外管、内管、及び制動板を具え、
外管は管体とされ、上端面がシート底部の固定座に固定され、底端面両側に対応する長さの溝が開設され、側辺に貫通孔を具えた対称な凸耳が凸設され、
内管は管体とされ、内側が貫通孔とされ、外側面の中段部分に円形外縁の凹環部が凹設され、下半部に多角形外縁の係止部が形成され、
制動板が内管の底端より外縁に套設され、内管の貫通孔が気圧シリンダのピストンロッドの上端に嵌合され、外管が内管外に套設され、並びに溝が制動板の凸耳に嵌合され、制動板が内管に嵌合するか否かの調整により、シートが回転可能とされるか回転不能とされるかが選択されることを特徴とする、椅子のシート回転防止の制動装置。
【請求項２】
請求項１記載の椅子のシート回転防止の制動装置において、制動装置の外管側辺に貫通孔を具えた対称な凸耳が形成され、該制動装置がさらに、Ｕ形リングとハンドルとスライドスリーブを具え、
該Ｕ形リングはＵ形板体とされ、中心部分に貫通孔が設けられ、両側にそれぞれ長い貫通孔が設けられ、両端にそれぞれ貫通孔が設けられ、
該ハンドルは円弧状板体とされ、前端に長いロッド状の連接棒が連接され、該連接棒の前端に貫通孔が設けられ、
該スライドスリーブは円環状とされ、両側にネジ孔を具えた凸耳が外向きに凸設されて内管外縁の制動板の下方に嵌合され、
ピンがＵ形リングの長い貫通孔、外管の凸耳の貫通孔及び連接棒前端の貫通孔を貫通した後に留め具で係止され、Ｕ形リングが外管外側の凸耳に枢接され、且つ連接棒がＵ形リングの中央貫通孔を貫通してハンドルに連接され、並びに溝が制動板とスライドスリーブの凸耳に嵌合され、且つそれぞれボルトがＵ形リング両端の貫通孔を貫通してスライドスリーブの凸耳のネジ孔にねじ込まれ、ハンドルの上下の回転により、シートが回転可能とされるか回転不能とされるかの制御が行われることを特徴とする、椅子のシート回転防止の制動装置。
【請求項３】
請求項１又は請求項２記載の椅子のシート回転防止の制動装置において、制動装置の内管の底端が延伸されて嵌合部が設けられ、並びに円環状の底端キャップが嵌合され、該底端キャップの両側にネジ孔が設けられ、ボルトが底端キャップの両側のネジ孔に螺合して外管底端外縁が螺子止めされることを特徴とする、椅子のシート回転防止の制動装置。
【請求項４】
請求項１又は請求項２記載の椅子のシート回転防止の制動装置において、制動板が複数設けられたことを特徴とする、椅子のシート回転防止の制動装置。
【考案の詳細な説明】
【０００１】
【考案の属する技術分野】
本考案は一種の椅子のシート回転防止の制動装置に係り、特に、椅子の気圧シリンダのピストンロッド上端とシート底部の固定座の間に係止作用を具えた制動装置が設けられ、使用者がシートの回転使用或いは不回転使用を選択できる、椅子のシート回転防止の制動装置に関する。
【０００２】
【従来の技術】
従来の椅子は複数のロータを具えた足フレームの中心に直立する気圧シリンダのピストンロッドで方形のシートが支持され、シートに別に支持棒で背もたれが固定され、並びに気圧シリンダのピストンロッドの上端に操作レバーが設けられて気圧シリンダバルブの制御に供され、これによりシートの高度調整が行われ、異なる使用者に応じて異なる高度に調整できる。児童が使用する時、直立する気圧シリンダ外縁には足置きが装着され、児童使用時の両足を載せることができる。しかし、児童使用時の安全性を考慮し、このような椅子の足フレームのローラにはスライド防止の制動装置が設けられ、これによりシートが重量或いは使用者を受ける時に、ローラが係止されて回転不能とされ、スライドが防止されて使用の安全性が増される。しかしシートは気圧シリンダのピストンロッドの上端に固定され、ゆえにローラがスライド防止の制動作用を具備しても、シートはピストンロッドと気圧シリンダの間の相対回転により、回転作用を有するため、児童が使用する時に潜在的な危険性が存在する。
【０００３】
【考案が解決しようとする課題】
本考案の主要な目的は、一種の椅子のシート回転防止の制動装置を提供することにあり、それは、椅子の気圧シリンダのピストンロッド上端とシート底部の固定座の間に係止作用を具えた制動装置が設けられ、使用者がシートの回転使用或いは不回転使用を選択できるものとする。
【０００４】
本考案の次の目的は、一種の椅子のシート回転防止の制動装置を提供することにあり、それは、内管、外管に制動板が嵌合されて制動装置が形成され、内管外縁に多角形外縁を具えた係止部と円形凹環部が形成され、並びに外管に凸耳でハンドルが枢接されてＵ形リングで内縁に多角形の係止フレームを具えた制動板が駆動され、該制動板が内管の係止部或いは凹環部に嵌合される技術手段により、シートの回転或いは回転不能の操作が達成されるものとする。
【０００５】
本考案の別の目的は、一種の椅子のシート回転防止の制動装置を提供することにあり、それは、内管、外管の底端に底端キャップが嵌合固定される技術手段により、内管と外管のギャップが保持され、制動板の運動が提供されるものとする。
【０００６】
本考案のさらに別の目的は、一種の椅子のシート回転防止の制動装置を提供することにあり、それは、外管管壁に底端より両側においてそれぞれ対応する溝が開設され、並びに制動板の両側の対応部分に凸耳が凸設されて該溝に嵌合される技術手段により、制動の強固性を増したものとする。
【０００７】
本考案のまた別の目的は、一種の椅子のシート回転防止の制動装置を提供することにあり、それは、気圧シリンダのシリンダとピストンロッド間に回転防止装置が設置される技術手段により、ピストンロッドと気圧シリンダの相対回転が防止されるものとする。
【０００８】
【課題を解決するための手段】
請求項１の考案は、複数のローラを具えた足フレームの中心に直立する気圧シリンダのピストンロッドでシートを支持し、シートに別に支持棒で背もたれが固定され、気圧シリンダの上端のシートの底部に操作レバーが設けられて気圧シリンダバルブを制御してシート高度を調整するのに供される、椅子のシート回転防止の制動装置において、
該気圧シリンダのピストンロッドの上端に制動装置が設けられてシートを回転可能とするか回転不能とするかを選択でき、該制動装置が外管、内管、及び制動板を具え、
外管は管体とされ、上端面がシート底部の固定座に固定され、底端面両側に対応する長さの溝が開設され、側辺に貫通孔を具えた対称な凸耳が凸設され、
内管は管体とされ、内側が貫通孔とされ、外側面の中段部分に円形外縁の凹環部が凹設され、下半部に多角形外縁の係止部が形成され、
制動板が内管の底端より外縁に套設され、内管の貫通孔が気圧シリンダのピストンロッドの上端に嵌合され、外管が内管外に套設され、並びに溝が制動板の凸耳に嵌合され、制動板が内管に嵌合するか否かの調整により、シートが回転可能とされるか回転不能とされるかが選択されることを特徴とする、椅子のシート回転防止の制動装置としている。
請求項２の考案は、請求項１記載の椅子のシート回転防止の制動装置において、制動装置の外管側辺に貫通孔を具えた対称な凸耳が形成され、該制動装置がさらに、Ｕ形リングとハンドルとスライドスリーブを具え、
該Ｕ形リングはＵ形板体とされ、中心部分に貫通孔が設けられ、両側にそれぞれ長い貫通孔が設けられ、両端にそれぞれ貫通孔が設けられ、
該ハンドルは円弧状板体とされ、前端に長いロッド状の連接棒が連接され、該連接棒の前端に貫通孔が設けられ、
該スライドスリーブは円環状とされ、両側にネジ孔を具えた凸耳が外向きに凸設されて内管外縁の制動板の下方に嵌合され、
ピンがＵ形リングの長い貫通孔、外管の凸耳の貫通孔及び連接棒前端の貫通孔を貫通した後に留め具で係止され、Ｕ形リングが外管外側の凸耳に枢接され、且つ連接棒がＵ形リングの中央貫通孔を貫通してハンドルに連接され、並びに溝が制動板とスライドスリーブの凸耳に嵌合され、且つそれぞれボルトがＵ形リング両端の貫通孔を貫通してスライドスリーブの凸耳のネジ孔にねじ込まれ、ハンドルの上下の回転により、シートが回転可能とされるか回転不能とされるかの制御が行われることを特徴とする、椅子のシート回転防止の制動装置としている。
請求項３の考案は、請求項１又は請求項２記載の椅子のシート回転防止の制動装置において、制動装置の内管の底端が延伸されて嵌合部が設けられ、並びに円環状の底端キャップが嵌合され、該底端キャップの両側にネジ孔が設けられ、ボルトが底端キャップの両側のネジ孔に螺合して外管底端外縁が螺子止めされることを特徴とする、椅子のシート回転防止の制動装置としている。
請求項４の考案は、請求項１又は請求項２記載の椅子のシート回転防止の制動装置において、制動板が複数設けられたことを特徴とする、椅子のシート回転防止の制動装置としている。
【０００９】
【考案の実施の形態】
本考案の主要な特徴は、気圧シリンダのピストンロッド（或いは一般の支柱）の上端に制動装置が設けられ、シートの回転或いは回転不能の機能の選択に供されることにある。該制動装置は外管、内管及び制動板で組成されている。そのうち、外管は管体とされ、上端面がシート底部の固定座に固定され、底端面両側に対応する長さの溝が開設されている。内管は管体とされ、内側が貫通孔とされ、外側面の中段部分に円形外縁凹環部が凹設され、下半部に多角形外縁の係止部が形成されている。制動板は円環状とされ、両側にそれぞれ凸耳が凸設され、内側面に多角形の係止フレームが形成されている。以上の構成要件により、制動板が内管底端より外縁に套設されて内管貫通孔が気圧シリンダのピストンロッド上端に嵌合固定され、外管が内管外に嵌合され、並びに溝が制動板の凸耳に嵌合され、制動板が内管に嵌合するか否かの調整により、シートの回転或いは回転不能の選択が達成される。
【００１０】
【実施例】
図１に示されるように、本考案の椅子１０は複数のローラを具えた足フレーム１１の中心に直立する気圧シリンダ１２が設けられ、ピストンロッドでシート１３を支持し、シート１３に別に支持棒で背もたれ１５が固定され、並びに気圧シリンダ１２の上端のシート１３の底部に操作レバー（図示せず）が設けられて気圧シリンダ１２バルブの調整によるシート１３高度の調整に供され、並びにハンドル１４が設けられて該ハンドルの上下操作により制動装置２０（図２参照）が制御されてシート１３を回転可能とするか回転不能とするかが選択される。
【００１１】
続いて図３を参照されたい。制動装置２０は、外管３０、内管５０、Ｕ形リング４０、ハンドル１４、底端キャップ６０、スライドスリーブ６３及び少なくとも一つの制動板５５で組成されている。
【００１２】
該外管３０は管体とされ、上端面がシート１３底部の固定座１６に固定され、底端面両側に対応する長さの溝３１が開設され、側辺に貫通孔３２を具えた対称な凸耳３３が凸設されている。
【００１３】
内管は管体とされ、内側が貫通孔５４とされ、外側面の中段部分に円形外縁凹環部５１が凹設され、下半部に多角形外縁の係止部５２が形成され、底端がさらに突伸して円形外縁の嵌合部５３が形成されている。
【００１４】
Ｕ形リング４０はＵ形板体とされ、中心部分に貫通孔４１が設けられ、両側にそれぞれ長い貫通孔４２が設けられ、両端にそれぞれ貫通孔４３が設けられている。
【００１５】
ハンドル１４は円弧状板体とされ、前端に長いロッド状の連接棒３４が連接され、該連接棒３４の前端に貫通孔３５が設けられている。
【００１６】
底端キャップ６０は円環状とされ、両側にネジ孔６１が設けられている。
スライドスリーブ６３は円環状とされ、両側に外向きにネジ孔６５を具えた凸耳６４が凸設されている。
【００１７】
制動板５５は円環状とされ、両側に外向きに凸耳５６が凸設され、内側面に多角形の係止フレーム５７が形成されている。
【００１８】
以上の構成要件により、一つ以上の制動板５５及びスライドスリーブ６３が順に内管５０の底端より外縁に嵌合され、底端キャップ６０もまた内管５０底端の嵌合部５３に嵌合され、並びに内管５０の貫通孔５４が気圧シリンダ１２のピストンロッド１２０の上端に嵌合される。別にピン４４がＵ形リング４０の長い貫通孔４２、外管３０の凸耳３３の貫通孔３２及び連接棒３４前端の貫通孔３５を貫通した後に留め具４５で係止され、Ｕ形リング４０が外管３０外側の凸耳３３に枢接され、且つ連接棒３４がＵ形リング４０の中央貫通孔４１を貫通してハンドル１４に連接される。さらに外管３０が内管５０外に套設され、並びに溝３１が制動板５５とスライドスリーブ６３の凸耳５６、６４に嵌合され、且つそれぞれボルト４０がＵ形リング４０両端の貫通孔４３を貫通してスライドスリーブ６３の凸耳６４のネジ孔６５にねじ込まれ、さらにボルト６２が底端キャップ６０両側のネジ孔６１にねじ込まれ、外管３０底端外縁が螺子止めされる。
【００１９】
図４、５に示されるように、平時の正常使用時には、ハンドル１４が平らに置かれ、則ちＵ形リング４０によりスライドスリーブ６３が駆動されて制動板５５が支持されて上位に位置し、この時制動板５５内側の係止フレーム５７が内管５０中段の円形外縁を呈する凹環部５１に嵌合し、ゆえにシート１３は係止されて回転不能とされる。
【００２０】
さらに、図６、７に示されるように、ハンドル１４が上向きに回されると、ピン４４を中心として、Ｕ形リング４０がスライドスリーブ６３を下に移動させ、制動板５５が本体重量により下に移動し、その内側の多角形の係止フレーム５７が内管５０外縁の対称な多角形の係止部５２に嵌合し、これにより内管５０が制動板５５に嵌合し、制動板５５がさらに凸耳５６で外管３０の溝３１に嵌合し、外管３０がシート１３底部の固定座１６に固定されていることにより、シート１３が固定位置を形成して回転不能とされる。
【００２１】
また、本考案を実施する時は、気圧シリンダ１２のシリンダ本体とピストンロッド１２０の間に相対回転防止の装置が設置され（図２の如し）、それは例えばキー１２１とキー溝或いはリブと凹溝等の手段とされ、これによりピストンロッド１２０と気圧シリンダ１２の相対回転が防止される。
【００２２】
【考案の効果】
総合すると、本考案は外管３０と内管５０間が制動板５５により係止制動される技術手段により、椅子１０のシート１３の回転と回転不能の調整が行え、これにより使用の安全性を増進し、且つ操作が敏捷に行え、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案を運用した椅子の斜視図である。
【図２】本考案の斜視図である。
【図３】本考案の分解斜視図である。
【図４】本考案の回転可能状態の側面断面図である。
【図５】本考案の回転可能状態の平面断面図である。
【図６】本考案の回転不能状態の側面断面図である。
【図７】本考案の回転不能状態の平面断面図である。
【符号の説明】
１０　椅子　　　　　１１　足フレーム
１２　気圧シリンダ　１３　シート
１４　ハンドル　　　１５　背もたれ
１６　固定座　　　　２０　制動装置
３０　外管　　　　　３１　溝
３２　貫通孔　　　　３３　凸耳
３４　連接棒　　　　３５　貫通孔
４０　Ｕ形リング　　４１　貫通孔
４２　長い貫通孔　　４３　貫通孔
４４　ピン　　　　　４５　留め具
４６　ボルト
５０　内管　　　　　５１　凹環部
５２　係止部　　　　５３　嵌合部
５４　貫通孔　　　　５５　制動板
５６　凸耳　　　　　５７　係止フレーム
６０　底端キャップ　６１　ネジ孔
６２　ボルト　　　　６３　スライドスリーブ
６４　凸耳　　　　　６５　ネジ孔
１２０　ピストンロッド　　１２１　キー
【図１】
0003097055.tif 000003
【図２】
0003097055.tif 000004
【図３】
0003097055.tif 000005
【図４】
0003097055.tif 000006
【図５】
0003097055.tif 000007
【図６】
0003097055.tif 000008
【図７】
0003097055.tif 000009